(57)【要約】      （修正有）【課題】ＬＥＤ方向が異なるタイプを装着可能にすることで、型の開発にかかるコストの削減を実現する通信装置を提供する。【解決手段】ハウジング１０は、蓋部１１と本体１７を有し、本体１７は装着部１２を有し、装着部１２は本体１７の頂面及び側面の隅辺りを跨り、頂面と側面の区域面積が対称となるように設けられ、装着部１２の所在する隅辺りを中心に対称的に配列される第一穿孔列１５と第二穿孔列１６を有し、装着部１２は第一連結部１２１を有する。蓋部１１は装着部１２に結合し、第一連結部１２１に相互対応する第二連結部１１１を有し、蓋部１１の内側に装着部１２のうちの一つの穿孔列に挿入される光誘導列１４を有する。電子装置は本体１７の内部に位置し、回路板と複数個のランプを有し、ランプは回路板に電気的に接続することでランプの発光モードを制御可能である。【選択図】図１
0003119331.tif 000002
【実用新案登録請求の範囲】
【請求項１】
蓋部と本体とを有し、本体は装着部を有し、装着部は本体の頂面及び側面の隅辺りを跨り、装着部の頂面の区域面積と側面の区域面積とが対称であるように設けられ、装着部は第一連結部を有し、蓋部は装着部に結合し、第一連結部に相互対応する第二連結部を有するハウジングと、
本体の内部に位置し、回路板と複数個のランプとを有し、ランプは回路板に電気的に接続する電子装置と、
を備えることを特徴とする通信装置。
【請求項２】
装着部は第一穿孔列と第二穿孔列とを有し、第一穿孔列は一定の間隔で直線状を呈するように配列される複数個の第一穿孔を有し、第二穿孔列は一定の間隔で直線状を呈するように配列される複数個の第二穿孔を有し、また第一穿孔列から装着部の隅辺りまでの距離は第二穿孔列から装着部の隅辺りまでの距離と同じであることを特徴とする請求項１に記載の通信装置。
【請求項３】
装着部は本体の内部を貫通するように中空状を呈することを特徴とする請求項１に記載の通信装置。
【請求項４】
蓋部は内側に光誘導列を有し、光誘導列は一定の間隔で直線状を呈するように配列される複数個の光誘導柱を有し、かつ光誘導列から蓋部の隅辺りまでの距離は第一穿孔列から装着部の隅辺りまでの距離と同じであることを特徴とする請求項１に記載の通信装置。
【請求項５】
蓋部はシールであることを特徴とする請求項１に記載の通信装置。
【請求項６】
第一連結ユニットは、一つ以上の連結孔から構成されることを特徴とする請求項１に記載の通信装置。
【請求項７】
第二連結部は一つ以上の連結ユニットから構成されることを特徴とする請求項１に記載の通信装置。
【請求項８】
ランプはＬＥＤランプであることを特徴とする請求項１に記載の通信装置。
【請求項９】
装着部を有する本体であって、装着部は本体の頂面及び側面の隅辺りを跨り、装着部の頂面の区域面積と側面の区域面積とが対称であるように設けられ、また装着部は第一連結部を有する本体と、
装着部に結合し、かつ第一連結部に相互対応する第二連結部を有する蓋部と、
を備えることを特徴とする通信装置のハウジング。
【考案の詳細な説明】
【技術分野】
【０００１】
本考案は、通信装置、詳しく言えばＬＥＤ方向が異なるタイプを装着可能な装置に関するものである。
【背景技術】
【０００２】
モデム、Cable Modem及びＡＤＳＬなどの一般的な通信装置はそのハウジング内部の電子装置に発光ダイオード（ＬＥＤ）表示ランプ、例えばＰＯＷＥＲ表示ランプまたはエラー信号表示ランプなどを有することで各種の信号を表示可能である。
一般的にハウジングに装着される電子装置のＬＥＤ方向はだいたい二種に分けられている。一つはＬＥＤ表示器と回路板とを相互垂直に配置することでＬＥＤ光源を上向きに放射する上向き型ＬＥＤ電子装置である。もう一つはＬＥＤ表示器と回路板とを平行に配置することでＬＥＤ光源を前向きに放射する前向き型ＬＥＤ装置である。したがって、ハウジングの型を開発するには、上向き型ＬＥＤを装着可能なハウジングと前向き型ＬＥＤを装着可能なハウジングを製作する必要があるため、型の開発に必要なコストを増やす。
また違うメーカーが製造した通信装置の内部に採用した電子装置は上向き型または前向き型ＬＥＤの二種の方向が異なるタイプであるため、在庫にかかるコストが増加する。
【考案の開示】
【考案が解決しようとする課題】
【０００３】
本考案の主な目的は、ＬＥＤ方向が異なるタイプを装着可能であるようにすることで型の開発にかかるコストを削減することを実現させる通信装置を提供することである。
本考案のもう一つの目的は、ＬＥＤ方向が異なるタイプのハウジングに対応可能であるようにすることで多種のハウジングを保存することなく在庫にかかるコストを削減することを実現させる通信装置を提供することである。
【課題を解決するための手段】
【０００４】
上述の目的を達成するために、本考案による通信装置は、ハウジングと電子装置を備える。そのうちハウジングは蓋部と本体を有し、本体は装着部を有し、装着部は本体の頂面及び側面の隅辺りを跨り、装着部の頂面の区域面積と側面の区域面積とが対称であるように設けられ、かつ第一穿孔列と第二穿孔列を有し、第一穿孔列と第二穿孔列は装着部の所在する隅辺りを中心にして対称的に配列され、また装着部は第一連結部を有する。蓋部は装着部に結合し、かつ第一連結部に相互対応する第二連結部を有し、蓋部の内側に光誘導列を有し、光誘導列は装着部のうちの一つの穿孔列に挿入される。電子装置は本体の内部に位置し、かつ回路板と複数個のランプを有し、ランプは回路板に電気的に接続することで回路板を介してランプの発光モードを制御可能である。
【考案を実施するための最良の形態】
【０００５】
以下、本考案の第一実施例を図面に基づいて説明する。まず図面の説明は次の通りである。
図１は、前向き型ランプを装着した本考案の第一実施例による通信装置を示す立体図である。
図２は、上向き型ランプを装着した本考案の第一実施例による通信装置を示す立体図である。
【０００６】
図３は、図１の断面図である。
図４は、図２の断面図である。
図５は、本考案の第二実施例による通信装置を示す立体図である。
図６は、前向き型ランプを装着した本考案の第二実施例による通信装置を示す断面図である。
【０００７】
図７は、上向き型ランプを装着した本考案の第二実施例による通信装置を示す断面図である。
図８は、本考案の第三実施例による通信装置を示す立体図である。
図９は、前向き型ランプを装着した本考案の第三実施例による通信装置を示す断面図である。
【０００８】
図１０は、上向き型ランプを装着した本考案の第三実施例による通信装置を示す断面図である。
図１１は、本考案の第四実施例による通信装置を示す断面図である。
図１２は、本考案の第五実施例による通信装置を示す断面図である。
図１から図４に示すように、本考案の第一実施例による通信装置１はハウジング１０と電子装置２０を備える。
【０００９】
ハウジング１０は蓋部１１と本体１７とを有し、本体１７は装着部１２と複数の接続孔１３とを有し、装着部１２は本体１７の頂面及び側面の隅辺りを跨り、装着部１２の頂面の区域面積と側面の区域面積とが対称であるように設けられ、かつ装着部１２は第一連結部１２１を有し、第一連結部１２１は第一連結孔１２２、第二連結孔１２３、第三連結孔１２４、及び第四連結孔１２５を有し、第一連結孔１２２と第二連結孔１２３とは相互対応し、第三連結孔１２４と第四連結孔１２５とは相互対応し、また装着部１２は第一穿孔列１５と第二穿孔列１６とを有し、第一穿孔列１５は一定の間隔で直線状を呈するように配列される複数個の第一穿孔１５１を有し、第二穿孔列１６は一定の間隔で直線状を呈するように配列される複数個の第二穿孔１６１を有し、第一穿孔列１５と第二穿孔列１６は装着部１２の所在する隅辺りＡを中心にして対称的に配列される。つまり第一穿孔列１５は隅辺りＡの下方、第二穿孔列１６は隅辺りＡの上方に位置する。また第一穿孔列１５から隅辺りＡまでの距離は第二穿孔列１６から隅辺りＡまでの距離と同じである。また複数個の接続孔１３は本体１７の背面に位置し、異なるコネクタとの接続に用いられる。
【００１０】
蓋部１１は装着部１２の形と相補する一定の形を呈する。かつ蓋体１１は第二連結部１１１を有し、第二連結部１１１は第一連結ユニット１１２、第二連結ユニット１１３、第三連結ユニット１１４、及び第四連結ユニット１１５を有し、第一連結ユニット１１２と第二連結ユニット１１３とは相互対応し、第三連結ユニット１１４と第四連結ユニット１１５とは相互対応し、かつ第一連結ユニット１１２、第二連結ユニット１１３、第三連結ユニット１１４、及び第四連結ユニット１１５は、別々に装着部１２の第一連結孔１２２、第二連結孔１２３、第三連結孔１２４、及び第四連結孔１２５と相互結合するため、蓋部１１は装着部１２に装着することが可能である。また蓋部の隅辺りＡ’の下方の内側に透光性の光誘導列１４を有し、光誘導列１４は一定の間隔で直線状を呈するように配列される複数個の光誘導柱１４１を有する。また光誘導列１４から隅辺りＡ’までの距離と第一穿孔列１５から隅辺りＡまでの距離とが同じであれば、光誘導列１４から隅辺りＡ’までの距離と第二穿孔列１６から隅辺りＡまでの距離とが同じである。したがって、蓋部１１の第一連結ユニット１１２、第二連結ユニット１１３、第三連結ユニット１１４、及び第四連結ユニット１１５と、装着部１２の第一連結孔１２２、第二連結孔１２３、第三連結孔１２４、及び第四連結孔１２５とを相互結合させる場合、光誘導列１４は第一穿孔列１５に対応するため、光誘導柱１４１は第一穿孔１５１を貫通する。逆に蓋部１１を１８０°回転させ、蓋部１１の第一連結ユニット１１２及び第二連結ユニット１１３と装着部１２の第二連結孔１２３及び第一連結孔１２２とを相互結合させ、第三連結ユニット１１４及び第四連結ユニット１１５と第四連結孔１２５及び第三連結孔１２４とを相互結合させる場合、光誘導列１４は第二穿孔列１６に対応するため、光誘導柱１４１は第二穿孔１６１を貫通する。
【００１１】
電子装置２０は本体１７の内部に位置し、回路板２１と複数個のランプ２２を有し、ランプ２２は回路板２１に電気的に接続することで回路板２１を介してランプ２２の発光モードを制御可能である。またランプ２２は回路板２１に位置付けられる。ランプ２２はＬＥＤランプにすることも、回路板２１に垂直或いは平行に配置することも可能である。ランプ２２が回路板２１に平行である（即ち前向き型ランプとなる）場合、ランプ２２は第一穿孔列１５に相互対応する。このとき光誘導列１４は第一穿孔列１５に配置されることでランプ２２の発光モードを蓋部１１から表示するように誘導する。逆に、ランプ２２と回路板２１とが垂直である（即ち上向き型ランプとなる）場合、ランプ２２は第二穿孔列１６に対応する。このとき蓋部１１を１８０°回転させれば光誘導列１４を第二穿孔列１６に配置することが可能である。
【００１２】
図１から図４に示すように、第一実施例では、装着部１２は本体１７の頂面及び側面の隅辺りを跨り、円弧状を呈し、蓋部１１は装着部１２に相互対応するような円弧状を呈するため、電子装置２０に前向き型ランプを採用する場合、光誘導列１４は第一穿孔列１５を貫通し、図３に示すようにランプ２２に相互対応する。このとき蓋部１１の第一連結ユニット１１２、第二連結ユニット１１３、第三連結ユニット１１４、及び第四連結ユニット１１５と、装着部１２の第一連結孔１２２、第二連結孔１２３、第三連結孔１２４、及び第四連結孔１２５とが相互結合するため、蓋部１１は装着部１２の上に結合することが可能である。かつ蓋部１１は透光性材質から構成されるため、蓋部１１は光誘導列１４の作用によりランプ２２の発光モードを表示可能である。また電子装置２０に上向き型ランプを採用する場合、蓋部１１を１８０°回転させれば図４に示すように光誘導列１４を第二穿孔列１６に対応させることが可能である。このとき第一連結ユニット１１２及び第二連結ユニット１１３は、第二連結孔１２３及び第一連結孔１２２と相互結合し、第三連結ユニット１１４及び第四連結ユニット１１５は、第四連結孔１２５及び第三連結孔１２４と相互結合する。
【００１３】
図５から図７に示すように、本考案の第二実施例では、蓋部１１と本体１７の頂面及び側面は図５に示すように両斜辺を呈するため、電子装置２０に前向き型ランプを採用する場合、蓋部１１と本体１７の組合せ後の状態は図６に示す通りであり、光誘導列１４は第一穿孔列１５に対応する。逆に電子装置２０に上向き型ランプを採用する場合、蓋部１１を１８０°回転させることが可能である。蓋部１１と本体１７の組合後の状態は図７に示す通りであり、光誘導列１４は第二穿孔列１６に対応する。
【００１４】
図８から図１０に示すように、本考案明の第三実施例では、装着部１２は本体１７の頂面及び側面の隅辺りを跨りＬ形を呈し、蓋部１１も装着部１２に相互対応するようにＬ形を呈するため、電子装置２０に前向き型ランプを採用する場合、光誘導列１４は第一穿孔列１５を貫通し、図９に示すようにランプ２２に相互対応する。逆に電子装置２０に上向き型ランプを採用する場合、蓋部１１を１８０°回転させれば図１０に示すように光誘導列１４を第二穿孔列１６に対応させることが可能である。
【００１５】
図１１に示すように、本考案の第四実施例による通信装置１では、装着部１２は本体１７の内部を貫通するように中空状を呈し、蓋部１１は内側に光誘導列１４を有し、蓋部１１は装着部１２と結合することで、光誘導列１４を本体１７の内部のそれぞれのランプ２２に対応させることが可能である。また上向き型ランプまたは前向き型ランプに応じ、蓋部１１と装着部１２の結合位置を変更することで光誘導列１４をそれぞれのランプ２２に相互対応させることが可能である。
【００１６】
図１２に示すように、本考案による第五実施例では、装着部１２は本体１７の内部を貫通するように中空状を呈し、蓋部１１は装着部１２に貼り付け可能なシールであり、また蓋部１１は透光性のある材質であり、本体１７内部のランプ２２は蓋部１１に近いため、上述の実施例における光誘導列は蓋部１１を介して通信装置１の発光モードを表示可能である。
上述の通り、本考案の実施例による通信装置は蓋部を１８０°回転させれば装着部と結合可能である特性により、通信装置を上向き型または前向き型のランプの使用に適用可能であるため、型の開発にかかるコストと在庫にかかるコストを削減することが可能となる。
【図面の簡単な説明】
【００１７】
【図１】前向き型のランプを装着した本考案の第一実施例による通信装置を示す立体図である。
【図２】上向き方のランプを装着した本考案の第一実施例による通信装置を示す立体図である。
【図３】図１の断面図である。
【図４】図２の断面図である。
【図５】本考案の第二実施例による通信装置を示す立体図である。
【図６】前向き型のランプを装着した本考案の第二実施例による通信装置を示す断面図である。
【図７】上向き型のランプを装着した本考案の第二実施例による通信装置を示す断面図である。
【図８】本考案の第三実施例による通信装置を示す立体図である。
【図９】前向き型のランプを装着した本考案の第三実施例による通信装置を示す断面図である。
【図１０】上向き型のランプを装着した本考案の第三実施例による通信装置を示す断面図である。
【図１１】本考案の第四実施例による通信装置を示す断面図である。
【図１２】本考案の第五実施例による通信装置を示す断面図である。
【符号の説明】
【００１８】
１  通信装置ケース、１０  ハウジング、１１  蓋部、１１１  第二連結部、１１２  第一結合ユニット、１１３  第二結合ユニット、１１４  第三結合ユニット、１１５  第四結合ユニット、１２  装着部、１２１  第一連結部、１２２  第一連結孔、１２３  第二連結孔、１２４  第三連結孔、１２５  第四連結孔、１３  接続孔、１４  光誘導列、１４１  光誘導柱、１５  第一穿孔列、１５１  第一穿孔、１６  第二穿孔列、１６１  第二穿孔、１７  本体、２０  電子装置、２１  回路板、２２  ランプ
【図１】
0003119331.tif 000003
【図２】
0003119331.tif 000004
【図３】
0003119331.tif 000005
【図４】
0003119331.tif 000006
【図５】
0003119331.tif 000007
【図６】
0003119331.tif 000008
【図７】
0003119331.tif 000009
【図８】
0003119331.tif 000010
【図９】
0003119331.tif 000011
【図１０】
0003119331.tif 000012
【図１１】
0003119331.tif 000013
【図１２】
0003119331.tif 000014